【手続補正書】
【提出日】平成17年10月18日(2005.10.18)
【手続補正１】
【補正対象書類名】明細書
【補正対象項目名】特許請求の範囲
【補正方法】変更
【補正の内容】
【特許請求の範囲】
【請求項１】
ネットワーク上の機器同士が一定の範囲内で接続されているどうかを認証する機器間認証システムであって、
前記ネットワーク経由で相互接続されている各機器は、仲介装置を着脱可能に物理アクセスする仲介装置インターフェースと、所定時間内に同じ仲介装置へ物理アクセスした他の機器をコンテンツを利用可能なローカル環境に置かれていると認証するローカル環境管理手段を備え、
ローカル環境内では機器間でコンテンツの利用が許可される、
ことを特徴とする機器間認証システム。
【請求項２】
一方の機器はコンテンツを正当に取得するホーム・サーバであり、他方の機器はホーム・サーバに対してコンテンツを要求し利用するクライアントであり、
前記ローカル環境管理手段により双方の機器がローカル環境下に存在することが確認されたことに応じて、前記ホーム・サーバは前記クライアントに対しコンテンツの提供及び／又はコンテンツに関するライセンスの発行を行なう、
ことを特徴とする請求項１に記載の機器間認証システム。
【請求項３】
前記ホーム・ネットワーク上には２台以上のホーム・サーバを設置可能であり、
ホーム・サーバ毎に、同じホーム・ネットワーク上に存在することが確認されたクライアントに対しコンテンツの提供及び／又はコンテンツに関するライセンスの発行を行なう、
ことを特徴とする請求項１に記載の機器間認証システム。
【請求項４】
クライアントは、同じホーム・ネットワーク上の２台以上のホーム・サーバからコンテンツの提供及び／又はコンテンツに関するライセンスの発行を受けることができる、
ことを特徴とする請求項３に記載の機器間認証システム。
【請求項５】
クライアントは、同じホーム・ネットワーク上の複数のホーム・サーバから取得したコンテンツを利用可能であるが、別のホーム・ネットワーク上のホーム・サーバに接続した時点で、その以外のホーム・ネットワーク上のホーム・サーバから取得したコンテンツを利用不能となる、
ことを特徴とする請求項３に記載の機器間認証システム。
【請求項６】
前記仲介装置は所定の識別情報を保持することができ、
前記ローカル環境管理手段は、仲介装置に物理アクセスした各機器が仲介装置から同じ識別情報を読み取ったこと及び／又はそれぞれが識別情報を読み取った時刻が所定時間内であることを以って各機器がローカル環境に置かれていると認証する、
ことを特徴とする請求項１に記載の機器間認証システム。
【請求項７】
前記仲介装置は秘密情報を安全に保持するメモリを備え、
前記仲介装置に物理アクセスする機器の１つは秘密情報を生成することができ、
前記ローカル環境管理手段は、１つの機器が生成した秘密情報を前記仲介装置経由で他の機器が所定時間内に取得できたことを以って各機器がローカル環境に置かれていると認証する、
ことを特徴とする請求項１に記載の機器間認証システム。
【請求項８】
秘密情報を生成した機器は所定時間経過後に該秘密情報を消失し、
前記ローカル環境管理手段は、秘密情報を生成した機器において該秘密情報を消失する以前に該秘密情報を共有することができた機器をローカル環境に置かれていると認証する、
ことを特徴とする請求項７に記載の機器間認証システム。
【請求項９】
ネットワーク上の機器同士が一定の範囲内で接続されているどうかを認証する機器間認証方法であって、
前記ネットワーク経由で相互接続されている各機器は、仲介装置を着脱可能に物理アクセスする仲介装置インターフェースを備え、
所定時間内に同じ仲介装置へ物理アクセスした他の機器をコンテンツを利用可能なローカル環境に置かれていると認証するローカル環境管理ステップ、
ローカル環境内では機器間でコンテンツの利用が許可されるコンテンツ利用ステップと、
を具備することを特徴とする機器間認証方法。
【請求項１０】
一方の機器はコンテンツを正当に取得するホーム・サーバであり、他方の機器はホーム・サーバに対してコンテンツを要求し利用するクライアントであり、
前記コンテンツ利用ステップでは、双方の機器がローカル環境下に存在することが確認されたことに応じて、前記ホーム・サーバは前記クライアントに対しコンテンツの提供及び／又はコンテンツに関するライセンスの発行を行なう、
ことを特徴とする請求項９に記載の機器間認証方法。
【請求項１１】
前記ホーム・ネットワーク上には２台以上のホーム・サーバを設置可能であり、
前記コンテンツ利用ステップでは、ホーム・サーバ毎に、同じホーム・ネットワーク上に存在することが確認されたクライアントに対しコンテンツの提供及び／又はコンテンツに関するライセンスの発行を行なう、
ことを特徴とする請求項９に記載の機器間認証方法。
【請求項１２】
前記コンテンツ利用ステップでは、クライアントは同じホーム・ネットワーク上の２台以上のホーム・サーバからコンテンツの提供及び／又はコンテンツに関するライセンスの発行を受けることができる、
ことを特徴とする請求項１１に記載の機器間認証方法。
【請求項１３】
前記コンテンツ利用ステップでは、クライアントは、同じホーム・ネットワーク上の複数のホーム・サーバから取得したコンテンツを利用可能であるが、別のホーム・ネットワーク上のホーム・サーバに接続した時点で、その以外のホーム・ネットワーク上のホーム・サーバから取得したコンテンツを利用不能となる、
ことを特徴とする請求項１１に記載の機器間認証方法。
【請求項１４】
前記仲介装置は所定の識別情報を保持することができ、
前記ローカル環境管理ステップでは、仲介装置に物理アクセスした各機器が仲介装置から同じ識別情報を読み取ったこと及び／又はそれぞれが識別情報を読み取った時刻が所定時間内であることを以って各機器がローカル環境に置かれていると認証する、
ことを特徴とする請求項９に記載の機器間認証方法。
【請求項１５】
前記仲介装置は秘密情報を安全に保持するメモリを備え、
前記仲介装置に物理アクセスする機器の１つは秘密情報を生成することができ、
前記ローカル環境管理ステップでは、１つの機器が生成した秘密情報を前記仲介装置経由で他の機器が所定時間内に取得できたことを以って各機器がローカル環境に置かれていると認証する、
ことを特徴とする請求項９に記載の機器間認証方法。
【請求項１６】
秘密情報を生成した機器は所定時間経過後に該秘密情報を消失し、
前記ローカル環境管理ステップでは、秘密情報を生成した機器において該秘密情報を消失する以前に該秘密情報を共有することができた機器をローカル環境に置かれていると認証する、
ことを特徴とする請求項１５に記載の機器間認証方法。
【請求項１７】
ネットワーク上で所定の許容範囲内でコンテンツを利用する通信機器であって、
仲介装置を着脱可能に物理アクセスする仲介装置インターフェースと、
所定時間内に同じ仲介装置へ物理アクセスした他の機器をコンテンツを利用可能なローカル環境に置かれていると認証するローカル環境管理手段と、
ローカル環境内でコンテンツを正当に利用するコンテンツ利用手段と、
を具備することを特徴とする通信機器。
【請求項１８】
前記ネットワーク上でコンテンツを提供するホーム・サーバとして動作し、
前記コンテンツ利用手段は、前記ローカル環境管理手段により同じローカル環境に存在することが確認された機器に対してのみコンテンツの提供及び／又はコンテンツに関するライセンスの発行を行なう、
ことを特徴とする請求項１７に記載の通信機器。
【請求項１９】
前記ネットワーク上でホーム・サーバに対してコンテンツを要求するクライアントとして動作し、
前記コンテンツ利用手段は、前記ローカル環境管理手段により同じローカル環境に存在することが確認されたホーム・サーバからのみコンテンツの提供及び／又はコンテンツに関するライセンスの発行を受ける、
ことを特徴とする請求項１７に記載の通信機器。
【請求項２０】
前記ローカル環境下には２台以上のホーム・サーバを設置可能であり、
前記コンテンツ利用手段は、前記ローカル環境管理手段により同じローカル環境に存在することが確認された２台以上のホーム・サーバからコンテンツの提供及び／又はコンテンツに関するライセンスの発行を受けることができる、
ことを特徴とする請求項１９に記載の通信機器。
【請求項２１】
前記コンテンツ利用手段は、同じローカル環境下の複数のホーム・サーバから取得したコンテンツを利用可能であるが、別のホーム・ネットワーク上のホーム・サーバに接続した時点で、その以外のローカル環境のホーム・サーバから取得したコンテンツを利用不能となる、
ことを特徴とする請求項１９に記載の通信機器。
【請求項２２】
仲介装置は所定の識別情報を保持することができ、
前記仲介装置インターフェースは、仲介装置が物理アクセスしたことに応答して識別情報を読み取り、
前記ローカル環境管理手段は、仲介装置から読み取った識別情報が同じであり、及び／又は、識別情報を読み取った時刻が所定時間内である機器を自己のローカル環境に置かれていると認証する、
ことを特徴とする請求項１７に記載の通信機器。
【請求項２３】
前記仲介装置は秘密情報を安全に保持するメモリを備え、
前記通信機器は秘密情報を生成する秘密情報生成装置をさらに備え、
前記仲介装置インターフェースは、仲介装置が物理アクセスしたことに応答して秘密情報を該仲介装置内のメモリに書き込み、
前記ローカル環境管理手段は、自己の生成した秘密情報を前記仲介装置経由で他の機器が所定時間内に取得できたことを以って該他の機器が自己のローカル環境に置かれていると認証する、
ことを特徴とする請求項１７に記載の通信機器。
【請求項２４】
前記仲介装置は秘密情報を安全に保持するメモリを備え、
前記仲介装置インターフェースは、仲介装置が物理アクセスしたことに応答して秘密情報を該仲介装置内のメモリから秘密情報を取り出し、
前記ローカル環境管理手段は、仲介装置から読み取った秘密情報が同じであり、及び／又は、秘密情報を読み取った時刻が所定時間内である機器を自己のローカル環境に置かれていると認証する、
ことを特徴とする請求項２３に記載の通信機器。
【請求項２５】
秘密情報は生成されてから所定時間経過後に消失し、
前記ローカル環境管理手段は、秘密情報を消失する以前に該秘密情報を共有することができた機器をローカル環境に置かれていると認証する、
ことを特徴とする請求項２３に記載の通信機器。
【請求項２６】
ネットワーク上の機器同士が一定の範囲内で接続されているどうかを認証するための処理をコンピュータ・システム上で実行するようにコンピュータ可読形式で記述されたコンピュータ・プログラムであって、
前記ネットワーク経由で相互接続されている各機器は、仲介装置を着脱可能に物理アクセスする仲介装置インターフェースを備え、
前記コンピュータ・システムに対し、
所定時間内に同じ仲介装置へ物理アクセスした他の機器をコンテンツを利用可能なローカル環境に置かれていると認証するローカル環境管理手順と、
ローカル環境内では機器間でコンテンツの利用が許可されるコンテンツ利用手順と、
を実行させることを特徴とするコンピュータ・プログラム。
【手続補正２】
【補正対象書類名】明細書
【補正対象項目名】０００６
【補正方法】変更
【補正の内容】
【０００６】
著作権法の下、著作物としてのコンテンツは無断の複製や改竄などの不正使用から保護を受ける。一方、著作物の正当な利用者においては、私的な使用、すなわち個人的に又は家庭内その他これに準ずる限られた範囲内において使用することを目的としてコンテンツを複製することが許されている（著作権法第３０条を参照のこと）。
【手続補正３】
【補正対象書類名】明細書
【補正対象項目名】００１３
【補正方法】変更
【補正の内容】
【００１３】
現在、ホーム・ネットワークを構成するプロトコルとして、例えばＵＰｎＰ（登録商標）が知られている。ＵＰｎＰによれば、複雑な操作を伴うことなく容易にネットワークを構築することが可能であり、ネットワーク接続された機器間では困難な操作や設定を伴うことなくコンテンツ提供サービスを行なうことが可能となる。また、ＵＰｎＰは、オペレーティング・システム（ＯＳ）に非依存であり、容易に機器の追加ができるという利点を持つ。
【手続補正４】
【補正対象書類名】明細書
【補正対象項目名】００２９
【補正方法】変更
【補正の内容】
【００２９】
著作権法の下、著作物としてのコンテンツは無断の複製や改竄などの不正使用から保護を受ける。一方、著作物の正当な利用者においては、私的な使用、すなわち個人的に又は家庭内その他これに準ずる限られた範囲内において使用することを目的としてコンテンツを複製することが許されている。
【手続補正５】
【補正対象書類名】明細書
【補正対象項目名】００４２
【補正方法】変更
【補正の内容】
【００４２】
【発明の実施の形態】
著作権法の下、著作物としてのコンテンツは無断の複製や改竄などの不正使用から保護を受ける。一方、著作物の正当な利用者においては、私的な使用、すなわち個人的に又は家庭内その他これに準ずる限られた範囲内において使用することを目的としてコンテンツを複製することが許されている（著作権法第３０条を参照のこと）。